(57)【要約】      （修正有）【課題】様々な量の試料が収容された試料容器であっても、適切な加重でクリンプ可能なクリンプアタッチメントを提供する。【解決手段】密封治具に用いられるクリンプアタッチメントであって、試料容器ガイド６１ｃの下面には下方に所定距離で突出するストッパ６１ｄが形成され、上側クリンプアタッチメント６２が下方に移動することで、試料蓋押圧部６２ｂの下面で蓋体３の上面が押圧され、上型ボディ６２ａのクリンプ溝６２ｄで容器本体部２の側壁の上部が押圧される際には、試料容器ガイド６１ｃが下方に移動して、試料容器ガイド６１ｃの下面と下型ボディ６１ａ上面との距離が所定距離となったときに当接されるようになっており、試料容器ガイド６１ｃの上面又はストッパ６１ｄの下面と、下型ボディ６１ａの上面との間に、取り付け取り外し可能なスペーサを備える構成とする。【選択図】図２
0003193537.tif 000002
【実用新案登録請求の範囲】
【請求項１】
底面と前記底面の周縁部から上方に突出する側壁とを備える容器本体部と、板形状の蓋体とをクリンプするための熱分析試料容器の密封治具に用いられ、
下側クリンプアタッチメントと、当該下側クリンプアタッチメントの上方に配置される上側クリンプアタッチメントとからなるクリンプアタッチメントであって、
前記下側クリンプアタッチメントは、下型ボディと、前記下型ボディの上面に形成された試料載置部と、前記試料載置部の外周に配置され、上下移動可能な試料容器ガイドとを有し、
前記上側クリンプアタッチメントは、下面にクリンプ溝が形成された上型ボディと、前記上型ボディの下面の中央に配置され、上下移動可能な試料蓋押圧部とを有し、
前記試料容器ガイドの下面には、下方に所定距離で突出するストッパが形成され、
前記上側クリンプアタッチメントが下方に移動させられることで、前記試料蓋押圧部の下面で前記蓋体の上面が押圧された後、前記上型ボディのクリンプ溝で前記容器本体部の側壁の上部が押圧されていく際には、前記試料容器ガイドが下方に移動して、前記試料容器ガイドの下面と前記下型ボディの上面との間の距離が所定距離になったときに当接されるようになっており、
前記試料容器ガイドの上面、又は、前記ストッパの下面と前記下型ボディの上面との間に、取り付け取り外し可能なスペーサを備えることを特徴とするクリンプアタッチメント。
【請求項２】
前記スペーサは、複数のスペーサからなることを特徴とする請求項１に記載のクリンプアタッチメント。
【請求項３】
請求項１又は請求項２に記載のクリンプアタッチメントと、
ベース部と、当該ベース部の上方に配置されるアーム部とを有するスタンドを備える熱分析試料容器の密封治具とを含むクリンプ装置であって、
前記ベース部に前記下側クリンプアタッチメントが取り付けられるとともに、前記アーム部に前記上側クリンプアタッチメントが取り付けられるようになっていることを特徴とするクリンプ装置。
【考案の詳細な説明】
【技術分野】
【０００１】
本考案は、クリンプアタッチメント及びクリンプ装置に関し、特に熱分析に用いられる熱分析試料容器の密封治具に取り付けられるクリンプアタッチメントに関する。
【背景技術】
【０００２】
熱分析装置（ＤＳＣ等）は、被測定試料と基準試料とを加熱炉内において同じ条件下で加熱したとき、被測定試料と基準試料との間に生じる温度差から被測定試料の熱的性質を解析するものである。
【０００３】
ところで、熱分析に用いられる試料には、粉末試料やそれが含まれた試料がある。このような試料を分析する場合には、測定中に熱伝達にムラがあるため、例えばＤＳＣ曲線において、見かけ上のベースラインが歪曲したりする。
【０００４】
よって、このような試料を分析する場合には、容器本体部と蓋体とからなる試料容器を用いて、試料容器内に密着するように収容している。図５は、その試料容器の一例を示す断面図である。なお、地面に水平な一方向をＸ方向とし、地面に水平でＸ方向と垂直な方向をＹ方向とし、Ｘ方向とＹ方向とに垂直な方向をＺ方向とする。
試料容器１は、容器本体部２と、蓋体３とからなる。
【０００５】
容器本体部２は、アルミニウムや銅や銀や金製であって、円板形状の底面２ｂと、底面２ｂの周縁部から上方に所定長さで突出する側壁２ａが設けられている。
蓋体３は、アルミニウムや銅や銀や金製であって、容器本体部２の底面２ｂと同形状となる円板形状をしている。
【０００６】
このような試料容器１内を密封（シール）やクリンプするために、熱分析試料容器の密封治具が使用されている（例えば、特許文献１参照）。図６は、従来の熱分析試料容器の密封治具の一例を示す概略断面図であり、図７は、図６の熱分析試料容器の密封治具による試料容器１の圧接の概要を示すＢ部分の拡大断面図であり、図８は、図７（ｂ）のＣ部分の拡大断面図である。
熱分析試料容器の密封治具７０は、コの字形のスタンド６４を備える。スタンド６４は、円板形状のベース部６４ａと、ベース部６４ａの上方に配置される円柱形状のアーム部６４ｂとを有する。
【０００７】
ベース部６４ａの中央部には、円柱形状の装着孔６４ｃが形成されている。また、下側クリンプアタッチメント２６１は、焼入れにより硬化処理された鉄やステンレス製であり、下型ボディ２６１ａと、下型ボディ２６１ａの下面に形成された円柱形状の取付部と、下型ボディ２６１ａの上面の中央に形成された円柱形状の試料載置部２６１ｂと、試料載置部２６１ｂの外周に配置され、上下移動可能な円筒形状の試料容器ガイド２６１ｃと、下型ボディ２６１ａの上面と試料容器ガイド２６１ｃの下面との間に配置された圧縮バネ２６１ｅとを有する。取付部は、装着孔６４ｃと同形状をしており、装着孔６４ｃに上方から挿入されるようになっている。よって、取付部が装着孔６４ｃに挿入されることで、ベース部６４ａの所定位置に下側クリンプアタッチメント２６１が配置されるようになっている。
【０００８】
試料容器ガイド２６１ｃの上面は、通常時、圧縮バネ２６１ｅによって試料載置部２６１ｂの上面より高く配置されており、これにより、試料載置部２６１ｂの上面と試料容器ガイド２６１ｃの内周面とで形成された空間に、容器本体部２が挿入されて配置されるようになっている。
【０００９】
一方、アーム部６４ｂの中央部には、ネジ孔６４ｅが内周面に形成された孔６４ｄが形成されており、孔６４ｄに円柱形状のネジ軸６３が螺合されている。また、ネジ軸６３の上端には、上下方向（Ｚ方向）に回転軸を有するハンドル６５が固定されている。このハンドル６５の回転により、ネジ軸６３がアーム部６４ｂに対して回転しながら上下動するようになっている。
【００１０】
ネジ軸６３の下面には、円柱形状の孔６３ａが形成されており、孔６３ａと円柱形状の可動ブロック６６とがアンギュラ玉軸受６７を介して回転自在に結合されている。具体的には、可動ブロック６６の上部の軸部６６ｂの外周面には、背面合わせの２個のアンギュラ玉軸受６７の内径が止め輪６９によって取り付けられ、アンギュラ玉軸受６７の外径は、ネジ軸６３の孔６３ａの内周面にプレート６８とスクリュー７４とによって固定されている。
【００１１】
また、可動ブロック６６の下部の外周面には、上下方向に長溝６６ａが形成されており、長溝６６ａに孔６４ｆに取り付けられたピン７５が挿入されることにより、可動ブロック６６はアーム部６４ｂに対して回転止めされた状態で、上下にスライド自在になっている。つまり、ハンドル６５を回すと、ネジ軸６３が回転しながら上下方向に移動するが、可動ブロック６６は上下方向にのみ移動するようになっている。
【００１２】
そして、可動ブロック６６の下面には、円柱形状の装着孔が形成されている。また、上側クリンプアタッチメント２６２は、鉄やステンレス製であり、内部空間を有する上型ボディ２６２ａと、上型ボディ２６２ａの上壁に形成された円柱形状の取付部と、上型ボディ２６２ａの中央に配置され、上下移動可能な円柱形状の試料蓋押圧部２６２ｂと、上型ボディ２６２ａの内部空間に配置された圧縮バネ２６２ｃとを有する。取付部は、装着孔と同形状をしており、装着孔に下方から挿入されるようになっている。そして、取付部が装着孔に挿入されてネジ機構やナット機構等で固定されることで、可動ブロック６６の所定位置に上側クリンプアタッチメント２６２が配置されるようになっている。
【００１３】
試料蓋押圧部２６２ｂの中部の外周には、外側に所定長さで突出する水平部が形成されており、水平部は上型ボディ２６２ａの内部空間に配置されている。そして、圧縮バネ２６２ｃは、上型ボディ２６２ａの上壁の下面と水平部の上面との間に配置されており、試料蓋押圧部２６２ｂが下動するように作用している。また、上型ボディ２６２ａの下壁の下面にはクリンプ溝２６２ｄが形成されており、試料蓋押圧部２６２ｂの下面は、通常時、圧縮バネ２６２ｃによってクリンプ溝２６２ｄより下方に突出するよう配置されている。これにより、上側クリンプアタッチメント２６２が下方に移動すると、試料蓋押圧部２６２ｂの下面で蓋体３の上面を押圧した後、上型ボディ２６２ａのクリンプ溝２６２ｄで容器本体部２の側壁２ａの上部を押圧していくようになっている。
【００１４】
ここで、下側クリンプアタッチメント２６１と上側クリンプアタッチメント２６２とからなるクリンプアタッチメント２６０が取り付けられた熱分析試料容器の密封治具７０でクリンプ容器を作製する方法について説明する。
まず、測定者は、容器本体部２の内部に試料Ｗを収容した後、容器本体部２の側壁２ａ内に蓋体３を挿入する。次に、測定者は試料載置部２６１ｂの上面と試料容器ガイド２６１ｃの内周面とで形成された空間に、試料容器１を挿入して配置する（図７（ａ）参照）。
【００１５】
次に、測定者はハンドル６５を適当な回数だけ回して上側クリンプアタッチメント２６２を下動させることにより、試料蓋押圧部２６２ｂの下面で容器本体部２の蓋体３の上面を押圧する。さらに、測定者はハンドル６５を適当な回数だけ回して上側クリンプアタッチメント２６２を下動させることにより、上型ボディ２６２ａのクリンプ溝２６２ｄで容器本体部２の側壁２ａの上部を押圧していく。このとき、試料容器ガイド２６１ｃが下方に移動しながら、容器本体部２の側壁２ａの上部がクリンプされる（図７（ｂ）参照）。最後に、測定者はハンドル６５を逆回転させて上側クリンプアタッチメント２６２を上動させた後、試料容器１を取り出している（図７（ｃ）参照）。
【００１６】
ところで、熱伝導はある程度の加重で良くなり、それ以上の加重を与えても、熱伝導はさほど変わらないものである。それどころか、過度の加重は、圧縮力により試料Ｗの内部構造を変化させてしまい、正しい熱分析データが得られなくなる恐れがある。
しかし、上述したようなシールアタッチメント２６０が取り付けられた熱分析試料容器の密封治具７０を用いた場合には、測定者がハンドル６５を適当な回数だけ回して上側クリンプアタッチメント２６２を下動させているため、加重をコントロールすることが困難であった。
【００１７】
そこで、過度な加重が加わらないように機械式のストッパを備えた下側クリンプアタッチメントが開発されている。図９は、このようなクリンプアタッチメントを用いた試料容器１の圧接の概要を示す拡大断面図である。
下側クリンプアタッチメント６１は、鉄やステンレス製であり、下型ボディ６１ａと、下型ボディ６１ａの下面に形成された円柱形状の取付部と、下型ボディ６１ａの上面の中央に形成された円柱形状の試料載置部６１ｂと、試料載置部６１ｂの外周に配置され、上下移動可能な円筒形状の試料容器ガイド６１ｃと、下型ボディ６１ａの上面と試料容器ガイド６１ｃの下面との間に配置された圧縮バネ６１ｅとを有する。
【００１８】
試料容器ガイド６１ｃの上面は、通常時、圧縮バネ６１ｅによって試料載置部６１ｂの上面より高く配置されており、これにより、試料載置部６１ｂの上面と試料容器ガイド６１ｃの内周面とで形成された空間に、容器本体部２が挿入されて配置されるようになっている。
また、試料容器ガイド６１ｃの下面には、下方に所定距離Ｌで突出する円筒形状の機械式ストッパ６１ｄが形成されている。
【００１９】
これにより、測定者はハンドル６５を適当な回数だけ回して上側クリンプアタッチメント６２を下動させることにより、試料蓋押圧部６２ｂの下面で蓋体３の上面を押圧する。さらに、測定者はハンドル６５を適当な回数だけ回して上側クリンプアタッチメント６２を下動させることにより、上型ボディ６２ａのクリンプ溝６２ｄで容器本体部２の側壁２ａの上部を押圧していく。このとき、試料容器ガイド６１ｃが下方に移動しながら、容器本体部２の側壁２ａの上部がクリンプされるが、試料容器ガイド６１ｃの下面と下型ボディ６１ａの上面との間の距離が所定距離Ｌになったときに、機械式ストッパ６１ｄの下面と下型ボディ６１ａの上面とが当接される。つまり、試料容器ガイド６１ｃの上面と下型ボディ６１ａの上面との間の距離が、所定距離Ｌ＋試料容器ガイド６１ｃの高さＨ以下にはならないようになっている。
【先行技術文献】
【特許文献】
【００２０】
【特許文献１】特開２０１３−７２７２８号公報
【考案の概要】
【考案が解決しようとする課題】
【００２１】
しかしながら、上述したような下側シールアタッチメント６１が取り付けられた熱分析試料容器の密封治具７０を用いた場合には、所定量の試料Ｗを試料容器１に収容しなければ適切な加重を加えることができなかった。つまり、所定量以上の試料Ｗを試料容器１に収容したいときには、適切な加重を加えるために、測定者は、機械式ストッパ６１ｄの下面と下型ボディ６１ａの上面とを当接する前に、ハンドル６５を止めて、加重をコントロールしなければならないという問題点があった。
そこで、本考案は、様々な量の試料を試料容器に収容しても、適切な加重でクリンプすることができるクリンプアタッチメント及びクリンプ装置の提供を目的とする。
【課題を解決するための手段】
【００２２】
上記課題を解決するためになされた本考案のクリンプアタッチメントは、底面と前記底面の周縁部から上方に突出する側壁とを備える容器本体部と、板形状の蓋体とをクリンプするための熱分析試料容器の密封治具に用いられ、下側クリンプアタッチメントと、当該下側クリンプアタッチメントの上方に配置される上側クリンプアタッチメントとからなるクリンプアタッチメントであって、前記下側クリンプアタッチメントは、下型ボディと、前記下型ボディの上面に形成された試料載置部と、前記試料載置部の外周に配置され、上下移動可能な試料容器ガイドとを有し、前記上側クリンプアタッチメントは、下面にクリンプ溝が形成された上型ボディと、前記上型ボディの下面の中央に配置され、上下移動可能な試料蓋押圧部とを有し、前記試料容器ガイドの下面には、下方に所定距離で突出するストッパが形成され、前記上側クリンプアタッチメントが下方に移動させられることで、前記試料蓋押圧部の下面で前記蓋体の上面が押圧された後、前記上型ボディのクリンプ溝で前記容器本体部の側壁の上部が押圧されていく際には、前記試料容器ガイドが下方に移動して、前記試料容器ガイドの下面と前記下型ボディの上面との間の距離が所定距離になったときに当接されるようになっており、前記試料容器ガイドの上面、又は、前記ストッパの下面と前記下型ボディの上面との間に、取り付け取り外し可能なスペーサを備えるようにしている。
【００２３】
ここで、「所定距離」とは、収容される最低量の試料を考慮して設計者等によって予め決められた任意の距離である。
【００２４】
本考案のクリンプアタッチメントによれば、例えば、測定者は容器本体部の内部に所定量の試料を収容した後、容器本体部の側壁内に蓋体を挿入する。次に、測定者は試料載置部の上面に試料容器を配置する。次に、上側クリンプアタッチメントを下動させることにより、試料蓋押圧部の下面で蓋体の上面を押圧する。さらに、上側クリンプアタッチメントを下動させることにより、上型ボディのクリンプ溝で容器本体部の側壁の上部を押圧していく。このとき、試料容器ガイドが下方に移動しながら、容器本体部の側壁の上部がクリンプされるのであるが、試料容器ガイドの下面と下型ボディの上面との間の距離が所定距離Ｌになったときに当接される。つまり、試料容器ガイドの上面と下型ボディの上面との間の距離が、所定距離Ｌ＋試料容器ガイドの高さＨ以下にはならないようになっている。
【００２５】
また、例えば、測定者は容器本体部の内部に所定量より多い量の試料を収容した後、容器本体部の側壁内に蓋体を挿入する。次に、測定者は、試料載置部の上面に厚さαのスペーサを配置した後、そのスペーサの上面に試料容器を配置する。次に、上側クリンプアタッチメントを下動させることにより、試料蓋押圧部の下面で蓋体の上面を押圧する。さらに、上側クリンプアタッチメントを下動させることにより、上型ボディのクリンプ溝で容器本体部の側壁の上部を押圧していく。このとき、試料容器ガイドが下方に移動しながら、容器本体部の側壁の上部がクリンプされるが、試料容器ガイドの下面と下型ボディの上面との間の距離が所定距離Ｌになったときに当接される。つまり、試料容器ガイドの上面と下型ボディの上面との間の距離が、所定距離Ｌ＋試料容器ガイドの高さＨ＋スペーサの厚さα以下にはならないようになっている。
【考案の効果】
【００２６】
以上のように、本考案のクリンプアタッチメントによれば、試料の適正な圧縮量に応じたスペーサを用意することにより、試料に過度の加重がかからなくなる。また、クリンプ量が一定になるため、試料の量を一定にすれば、繰り返し再現性の良いクリンプが可能となる。さらに、熟練したスキルを必要とせず、比較的容易にクリンプ容器を作製することができる。
【００２７】
（他の課題を解決するための手段および効果）
また、上記の考案において、前記スペーサは、複数のスペーサからなるようにしても良い。
【００２８】
さらに、上記の考案において、上述したようなクリンプアタッチメントと、ベース部と、当該ベース部の上方に配置されるアーム部とを有するスタンドを備える熱分析試料容器の密封治具とを含むクリンプ装置であって、前記ベース部に前記下側クリンプアタッチメントが取り付けられるとともに、前記アーム部に前記上側クリンプアタッチメントが取り付けられるようにしても良い。
【図面の簡単な説明】
【００２９】
【図１】本考案に係るクリンプ装置の一例を示す概略断面図。
【図２】最低量の試料を収容した場合の図１のＡ部分を示す拡大断面図。
【図３】所定量以上の試料を収容した場合の図１のＡ部分を示す拡大断面図。
【図４】本考案に係るクリンプ装置の他の一例を示す概略断面図。
【図５】試料容器の一例を示す断面図。
【図６】従来の熱分析試料容器の密封治具の一例を示す概略断面図。
【図７】図６に示すＢ部分の拡大断面図。
【図８】図７（ｂ）に示すＣ部分の拡大断面図。
【図９】機械式ストッパを備えるクリンプ装置を用いた試料容器の圧接の概要を示す拡大断面図。
【考案を実施するための形態】
【００３０】
以下、本考案の実施形態について図面を用いて説明する。なお、本考案は、以下に説明するような実施形態に限定されるものではなく、本考案の趣旨を逸脱しない範囲で種々の態様が含まれる。
【００３１】
＜第一実施形態＞
図１は、本考案に係るクリンプ装置の一例を示す概略断面図であり、図２及び図３は、図１の熱分析試料容器の密封治具による試料容器の圧接の概要を示すＡ部分の拡大断面図である。なお、上述した熱分析試料容器の密封治具７０や試料容器１や上側及び下側クリンプアタッチメント６２、６１と同様のものについては、同じ符号を付している。
クリンプ装置１０は、下側クリンプアタッチメント６１と上側クリンプアタッチメント６２と複数のスペーサ６３とからなるクリンプアタッチメント６０と、熱分析試料容器の密封治具７０とを含む。
【００３２】
熱分析試料容器の密封治具７０は、コの字形のスタンド６４を備える。スタンド６４は、円板形状のベース部６４ａと、ベース部６４ａの上方に配置される円柱形状のアーム部６４ｂとを有する。
【００３３】
ベース部６４ａの中央部には、円柱形状の装着孔６４ｃが形成されている。また、下側クリンプアタッチメント６１は、鉄やステンレス製であり、下型ボディ６１ａと、下型ボディ６１ａの下面に形成された円柱形状の取付部と、下型ボディ６１ａの上面の中央に形成された円柱形状の試料載置部６１ｂと、試料載置部６１ｂの外周に配置され、上下移動可能な円筒形状の試料容器ガイド６１ｃと、下型ボディ６１ａの上面と試料容器ガイド６１ｃの下面との間に配置された圧縮バネ６１ｅとを有する。取付部は、装着孔６４ｃと同形状をしており、装着孔６４ｃに上方から挿入されるようになっている。よって、取付部が装着孔６４ｃに挿入されることで、ベース部６４ａの所定位置に下側クリンプアタッチメント６１が配置されるようになっている。
【００３４】
試料容器ガイド６１ｃの上面は、通常時、圧縮バネ６１ｅによって試料載置部６１ｂの上面より高く配置されており、これにより、試料載置部６１ｂの上面と試料容器ガイド６１ｃの内周面とで形成された空間に、容器本体部２が挿入されて配置されるようになっている。
また、試料容器ガイド６１ｃの下面には、下方に所定距離Ｌで突出する円筒形状の機械式ストッパ６１ｄが形成されている。
【００３５】
複数のスペーサ６３ａ、６３ｂ、６３ｃ、・・・は、全て同じ厚さαを有する円環形状体となっている。そして、各スペーサ６３ａ、・・・は、試料容器ガイド６１ｃの上面に載置可能となっており、３枚のスペーサ６３ａ〜６３ｃが試料容器ガイド６１ｃの上面に載置されたり、１枚のスペーサ６３ａが試料容器ガイド６１ｃの上面に載置されたりするようになっている。
【００３６】
一方、アーム部６４ｂの中央部には、ネジ孔６４ｅが内周面に形成された孔６４ｄが形成されており、孔６４ｄに円柱形状のネジ軸６３が螺合されている。また、ネジ軸６３の上端には、上下方向（Ｚ方向）に回転軸を有するハンドル６５が固定されている。このハンドル６５の回転により、ネジ軸６３がアーム部６４ｂに対して回転しながら上下動するようになっている。
ネジ軸６３の下面には、円柱形状の孔６３ａが形成されており、孔６３ａと円柱形状の可動ブロック６６とがアンギュラ玉軸受６７を介して回転自在に結合されている。
【００３７】
また、可動ブロック６６の下部の外周面には、上下方向に長溝６６ａが形成されており、長溝６６ａに孔６４ｆに取り付けられたピン７５が挿入されることにより、可動ブロック６６はアーム部６４ｂに対して回転止めされた状態で、上下にスライド自在になっている。つまり、ハンドル６５を回すと、ネジ軸６３が回転しながら上下方向に移動するが、可動ブロック６６は上下方向にのみ移動するようになっている。
【００３８】
そして、可動ブロック６６の下面には、円柱形状の装着孔が形成されている。また、上側クリンプアタッチメント６２は、鉄やステンレス製であり、内部空間を有する上型ボディ６２ａと、上型ボディの上壁に形成された円柱形状の取付部と、上型ボディ６２ａの中央に配置され、上下移動可能な円柱形状の試料蓋押圧部６２ｂと、上型ボディ６２ａの内部空間に配置された圧縮バネ６２ｃとを有する。取付部は、装着孔と同形状をしており、装着孔に下方から挿入されるようになっている。そして、取付部が装着孔に挿入されてネジ機構やナット機構等で固定されることで、可動ブロック６６の所定位置に上側クリンプアタッチメント６２が配置されるようになっている。
【００３９】
ここで、下側クリンプアタッチメント６１と上側クリンプアタッチメント６２と複数のスペーサ６３とからなるクリンプアタッチメント６０が取り付けられた熱分析試料容器の密封治具７０でクリンプ容器を作製する方法について説明する。
（１）容器本体部２の内部に、所定量となる最低量の試料Ｗを収容した場合
まず、測定者は容器本体部２の内部に、所定量の試料Ｗを収容した後、容器本体部２の側壁２ａ内に蓋体３を挿入する。次に、測定者は試料載置部６１ｂの上面に、試料容器１を配置する（図２（ａ）参照）。
【００４０】
次に、測定者はハンドル６５を適当な回数だけ回して上側クリンプアタッチメント６２を下動させることにより、試料蓋押圧部６２ｂの下面で蓋体３の上面を押圧する。さらに、測定者はハンドル６５を適当な回数だけ回して上側クリンプアタッチメント６２を下動させることにより、上型ボディ６２ａのクリンプ溝６２ｄで容器本体部２の側壁２ａの上部を押圧していく。このとき、試料容器ガイド６１ｃが下方に移動しながら、容器本体部２の側壁２ａの上部がクリンプされるが、試料容器ガイド６１ｃの下面と下型ボディ６１ａの上面との間の距離が所定距離Ｌになったときに、試料容器ガイド６１ｃの下面と下型ボディ６１ａの上面とが当接される（図２（ｂ）参照）。つまり、試料容器ガイド６１ｃの上面と下型ボディ６１ａの上面との間の距離が、所定距離Ｌ＋試料容器ガイド６１ｃの高さＨ以下にはならないようになっている。
最後に、測定者はハンドル６５を逆回転させて上側クリンプアタッチメント６２を上動させた後、試料容器１を取り出している（図２（ｃ）参照）。
【００４１】
（２）容器本体部２の内部に、所定量＋２×設定量（２×Ｖ）の試料Ｗを収容した場合
ここで、「設定量」とは、１枚のスペーサを用いると、試料Ｗに過度の加重がかからなくなるように設計者や測定者等によって決められた任意の量である。
まず、測定者は容器本体部２の内部に、所定量＋２×設定量（２×Ｖ）の試料Ｗを収容した後、容器本体部２の側壁２ａ内に蓋体３を挿入する。次に、測定者は試料載置部６１ｂの上面に、厚さαのスペーサ６３ａ、６３ｂを２枚配置した後（図３（ａ）参照）、そのスペーサ６３ｂの上面に試料容器１を配置する。
【００４２】
次に、測定者はハンドル６５を適当な回数だけ回して上側クリンプアタッチメント６２を下動させることにより、試料蓋押圧部６２ｂの下面で蓋体３の上面を押圧する。さらに、測定者はハンドル６５を適当な回数だけ回して上側クリンプアタッチメント６２を下動させることにより、上型ボディ６２ａのクリンプ溝６２ｄで容器本体部２の側壁２ａの上部を押圧していく。このとき、試料容器ガイド６１ｃが下方に移動しながら、容器本体部２の側壁２ａの上部がクリンプされるが、試料容器ガイド６１ｃの下面と下型ボディ６１ａの上面との間の距離が所定距離Ｌになったときに、試料容器ガイド６１ｃの下面と下型ボディ６１ａの上面とが当接される（図３（ｂ）参照）。つまり、試料容器ガイド６１ｃの上面と下型ボディ６１ａの上面との間の距離が、所定距離Ｌ＋試料容器ガイド６１ｃの高さ＋スペーサ６３ａ、６３ｂの厚さ（２×α）以下にはならないようになっている。
最後に、測定者はハンドル６５を逆回転させて上側クリンプアタッチメント６２を上動させた後、試料容器１を取り出している。
【００４３】
以上のように、本考案のクリンプ装置１０によれば、試料Ｗの適正な圧縮量に応じたスペーサ６３を用意することにより、試料Ｗに過度の加重がかからなくなる。また、クリンプ量が一定になるため、試料Ｗの量を一定にすれば、繰り返し再現性の良いクリンプが可能となる。さらに、熟練したスキルは必要とせず、比較的容易にクリンプ容器を作製することができる。
【００４４】
＜第二実施形態＞
図４は、本考案に係るクリンプ装置の他の一例を示す概略断面図である。なお、上述したクリンプ装置１０と同様のものについては、同じ符号を付している。
クリンプ装置２０は、下側クリンプアタッチメント６１と上側クリンプアタッチメント６２と複数のスペーサ６３とからなるクリンプアタッチメント６０と、熱分析試料容器の密封治具１７０とを含む。つまり、本実施形態でも、クリンプアタッチメント６０が用いられることになる。
【００４５】
熱分析試料容器の密封治具１７０は、コの字形のスタンド１６４を備える。スタンド１６４は、円板形状のベース部１６４ａと、ベース部１６４ａの上方に配置される円柱形状のアーム部１６４ｂとを有する。
【００４６】
ベース部１６４ａの中央部には、円柱形状の装着孔１６４ｃが形成されており、装着孔１６４ｃに下側シールアタッチメント６１が上方から挿入されている。
【００４７】
一方、アーム部１６４ｂには、内部空間が形成されており、その内部空間を形成するための下壁の中央部には、孔１６４ｄが形成されており、孔１６４ｄに円柱形状の主軸１６３が挿入されている。また、主軸１６３の上部の外周面には、外側に所定長さで突出する水平部が設けられている。そして、下壁と水平部との間には、圧縮バネ１６７が配置されており、主軸１６３が上動するように作用している。
【００４８】
また、主軸１６３の上端面には、回転軸が中心からずれた円板形状の偏心板１６６が当接するようになっており、偏心板１６６の回転軸には、水平方向（Ｙ方向）に回転軸を有するハンドル１６５が固定されている。このハンドル１６５の回転により、偏心板１６６が回転して主軸１６３がアーム部１６４ｂに対して上下動するようになっている。
【００４９】
そして、主軸１６３の下面には、円柱形状の装着孔が形成されており、この装着孔には上側シールアタッチメント６２が下方から挿入されている。
【００５０】
以上のように、本考案のクリンプ装置２０によれば、試料Ｗの適正な圧縮量に応じたスペーサ６３を用意することにより、試料Ｗに過度の加重がかからなくなる。また、クリンプ量が一定になるため、試料Ｗの量を一定にすれば、繰り返し再現性の良いクリンプが可能となる。さらに、熟練したスキルは必要とせず、比較的容易にクリンプ容器を作製することができる。
【００５１】
＜他の実施形態＞
（１）上述したクリンプアタッチメント６０では、スペーサ６３は、試料容器ガイド６１ｃの上面に載置可能となっている構成を示したが、これに代えて試料容器ガイド６１ｃの下面と下型ボディ６１ａの上面との間に挿入可能となるような構成としても良い。
【００５２】
（２）上述したクリンプアタッチメント６０では、複数のスペーサ６３ａ、６３ｂ、６３ｃ、・・・は、全て同じ厚さαを有する円環形状体である構成を示したが、これに代えて、複数のスペーサが全て異なる厚さを有する円環形状体であるような構成としても良い。
【産業上の利用可能性】
【００５３】
本考案は、熱分析に用いられる熱分析試料容器の密封治具に取り付けられるクリンプアタッチメント等に利用することができる。
【符号の説明】
【００５４】
２：容器本体部
２ａ：側壁
２ｂ：底面
３：蓋体
７０：熱分析試料容器の密封治具
６０：クリンプアタッチメント
６１：下側クリンプアタッチメント
６１ａ：下型ボディ
６１ｂ：試料載置部
６１ｃ：試料容器ガイド
６１ｄ：ストッパ
６２：上側クリンプアタッチメント
６２ａ：上型ボディ
６２ｂ：試料蓋押圧部
６２ｄ：クリンプ溝
６３：スペーサ
【図１】
0003193537.tif 000003
【図２】
0003193537.tif 000004
【図３】
0003193537.tif 000005
【図４】
0003193537.tif 000006
【図５】
0003193537.tif 000007
【図６】
0003193537.tif 000008
【図７】
0003193537.tif 000009
【図８】
0003193537.tif 000010
【図９】
0003193537.tif 000011